(57)【要約】【課題】前方を視認したドライバーの視界に、選択可能な複数のアイコン画像を表示して選択操作を受け付ける構成において、従来に比して前方視界を向上する。【解決手段】ドライバーの前方空間に虚像により画像を表示する表示部１２と、ドライバーの指の接触を検出する操作部１３と、操作部１３を介して検出されるドライバーの指の接触によりドライバーによる操作情報を取得する操作情報取得部１４と、操作情報により表示部１２を制御する表示制御部１５とを備える。表示制御部１５は、ドライバーの指の接触の検出により、上位アイコン画像の表示を開始してドライバーによる選択操作を受け付ける。【選択図】図１
2020050055.tif 000002
【特許請求の範囲】
【請求項１】
ドライバーの前方空間に虚像により画像を表示する表示部と、
前記ドライバーの指の接触を検出する操作部と、
前記操作部を介して検出される前記ドライバーの指の接触により前記ドライバーによる操作情報を取得する操作情報取得部と、
前記操作情報により前記表示部を制御する表示制御部とを備え、
前記表示制御部は、
前記ドライバーの指の接触の検出により、上位アイコン画像の表示を開始して前記ドライバーによる選択操作を受け付ける
車両用表示装置。
【請求項２】
前記表示制御部は、
垂直方向又は水平方向である第１の方向に選択可能な複数の前記上位アイコン画像を順次表示し、前記第１の方向への前記ドライバーの指のスライド操作により、複数の前記上位アイコン画像に係るフォーカスの設定を順次切り替えて前記ドライバーによる選択を受け付ける
請求項１に記載の車両用表示装置。
【請求項３】
前記表示制御部は、
前記フォーカスが設定された前記上位アイコン画像に係る設定を、当該上位アイコン画像に隣接して表示する
請求項２に記載の車両用表示装置。
【請求項４】
請求項２又は請求項３の構成において、
前記表示制御部は、
前記第１の方向と直交する第２の方向への指のスライド操作により、前記第１の方向へのスライド操作により選択された前記上位アイコン画像の下位階層に係る選択可能な中位アイコン画像を前記第２の方向に表示して前記ドライバーによる選択操作を受け付ける
請求項２又は請求項３に記載の車両用表示装置。
【請求項５】
前記中位アイコン画像の前記第２の方向への表示が、前記第２の方向への前記指のスライド操作開始位置からスライド操作位置までの距離に応じて表示する前記中位アイコン画像の数を変化させる表示である
請求項４に記載の車両用表示装置。
【請求項６】
前記表示制御部は、
前記第２の方向と直交する前記第１の方向へのスライド操作により、前記第２の方向へのスライド操作により選択された前記中位アイコン画像の下位階層に係る選択可能な複数の下位アイコン画像を前記第１の方向に順次表示して前記ドライバーによる選択操作を受け付ける
請求項４又は請求項５に記載の車両用表示装置。
【請求項７】
前記表示制御部は、
前記下位アイコン画像を表示した後、前記第２の方向への前記指のスライド操作の検出により、前記ドライバーによる前記中位アイコン画像の選択を前記指のスライド操作に応じて順次切り替えると共に、当該中位アイコン画像の選択に対応するように前記下位アイコン画像の表示を切替える
請求項６に記載の車両用表示装置。
【請求項８】
前記表示制御部は、
前記上位アイコン画像の表示を開始した前記指の接触箇所に向かう前記指のスライド操作により、
前記中位アイコン画像の表示を終了する
請求項４、請求項５、請求項６、請求項７の何れかに記載の車両用表示装置。
【請求項９】
前記表示制御部は、
前記上位アイコン画像の表示を開始した前記指の接触箇所に向かう前記指のスライド操作により、
一定時間、前記上位アイコン画像の表示を継続した後、前記上位アイコン画像の表示を終了する
請求項４、請求項５、請求項６、請求項７の何れかに記載の車両用表示装置。
【請求項１０】
車両用表示装置の制御方法において、
前記車両用表示装置は、
ドライバーの前方空間に虚像により画像を表示する表示部を備え、
前記車両用表示装置の制御方法は、
操作部を介して検出される前記ドライバーの指の接触により前記ドライバーによる操作情報を取得する操作情報取得ステップと、
前記操作情報により前記表示部を制御する表示制御ステップとを備え、
前記表示制御ステップは、
前記ドライバーの指の接触の検出により、上位アイコン画像の表示を開始して前記ドライバーによる選択操作を受け付ける
車両用表示装置の制御方法。
【請求項１１】
演算処理回路における実行により所定の処理手順を実行させる車両用表示装置の制御プログラムにおいて、
前記車両用表示装置は、
ドライバーの前方空間に虚像により画像を表示する表示部を備え、
前記処理手順は、
操作部を介して検出される前記ドライバーの指の接触により前記ドライバーによる操作情報を取得する操作情報取得ステップと、
前記操作情報により前記表示部を制御する表示制御ステップとを備え、
前記表示制御ステップは、
前記ドライバーの指の接触の検出により、上位アイコン画像の表示を開始して前記ドライバーによる選択操作を受け付ける
車両用表示装置の制御プログラム。
【発明の詳細な説明】
【技術分野】
【０００１】
本発明は、車両用表示装置、車両用表示装置の制御方法、車両用表示装置の制御プログラムに関するものである。
【背景技術】
【０００２】
従来、車両では、ヘッドアップディスプレイ装置によりドライバーの前方空間に、虚像により種々の画像を表示する工夫が提案されている。このようなヘッドアップディスプレイ装置による車両用表示装置に関して、特許文献１には、ウインドシールドを介して前方を視認するドライバーの視界に、選択可能な複数のアイコン画像を表示して選択操作を受け付ける構成が開示されている。
【先行技術文献】
【特許文献】
【０００３】
【特許文献１】特開２００４−３４５５４９号公報
【発明の概要】
【発明が解決しようとする課題】
【０００４】
ところでこのように前方を視認するドライバーの視界に、選択可能な複数のアイコン画像を表示して選択操作を受け付ける場合、ドライバーにおいては、視線を大きく逸らすことなく各種の操作を実行できることにより、安全性を向上することができる。
しかしながら前方を視認したドライバーの視界は、これら複数のアイコン画像により遮られ、これによりドライバーの前方視界が低下する問題がある。
【０００５】
本発明は以上の点を考慮してなされたものであり、前方を視認したドライバーの視界に、選択可能な複数のアイコン画像を表示して選択操作を受け付ける構成において、従来に比して前方視界を向上することができる車両用表示装置、車両用表示装置の制御方法、車両用表示装置の制御プログラムを提案することを目的とする。
【課題を解決するための手段】
【０００６】
係る課題を解決するため、請求項１の発明に係る車両用表示装置は、
ドライバーの前方空間に虚像により画像を表示する表示部と、
前記ドライバーの指の接触を検出する操作部と、
前記操作部を介して検出される前記ドライバーの指の接触により前記ドライバーによる操作情報を取得する操作情報取得部と、
前記操作情報により前記表示部を制御する表示制御部とを備え、
前記表示制御部は、
前記ドライバーの指の接触の検出により、上位アイコン画像の表示を開始して前記ドライバーによる選択操作を受け付ける。
【０００７】
請求項１の構成によれば、ドライバーの指の接触の検出により上位アイコン画像の表示を開始することにより、必要な場合にのみ上位アイコン画像を表示して、不必要な場合には表示しないようにすることができ、これにより従来に比して前方視界を向上することができる。
【０００８】
また請求項２の発明に係る車両用表示装置は、
請求項１の構成において、
前記表示制御部は、
垂直方向又は水平方向である第１の方向に選択可能な複数の前記上位アイコン画像を順次表示し、前記第１の方向への前記ドライバーの指のスライド操作により、前記複数の上位アイコン画像に係るフォーカスの設定を順次切り替えて前記ドライバーによる選択を受け付ける。
【０００９】
請求項２の構成によれば、ドライバーの指のスライド操作により所望するアイコン画像を選択することができる。
【００１０】
また請求項３の発明に係る車両用表示装置は、
請求項２の構成において、
前記表示制御部は、
前記フォーカスが設定された前記上位アイコン画像に係る設定を、当該上位アイコン画像に隣接して表示する。
【００１１】
請求項３の構成によれば、設定を確認してアイコン画像を選択し、また選択したアイコン画像に係る設定を確認することができる。
【００１２】
請求項４に係る車両用表示装置は、
請求項２又は請求項３の構成において、
前記表示制御部は、
前記第１の方向と直交する第２の方向への指のスライド操作により、前記第１の方向へのスライド操作により選択された前記上位アイコン画像の下位階層に係る選択可能な中位アイコン画像を前記第２の方向に表示して前記ドライバーによる選択操作を受け付ける。
【００１３】
請求項４の構成によれば、階層構造により上位アイコン画像及び中位アイコン画像を表示して、従来に比して前方視界を向上することができる。
【００１４】
請求項５に係る車両用表示装置は、
請求項４の構成において、
前記中位アイコン画像の前記第２の方向への表示が、前記第２の方向への前記指のスライド操作開始位置からスライド操作位置までの距離に応じて表示する前記中位アイコン画像の数を変化させる表示である。
【００１５】
請求項５の構成によれば、全ての中位アイコン画像を表示しなくても、所望する中位アイコン画像を選択できることにより、従来に比して前方視界を向上することができる。
【００１６】
請求項６に係る車両用表示装置は、
請求項４又は請求項５の構成において、
前記表示制御部は、
前記第１の方向へのスライド操作により、前記第２の方向へのスライド操作により選択された前記中位アイコン画像の下位階層に係る選択可能な複数の下位アイコン画像を前記第１の方向に順次表示して前記ドライバーによる選択操作を受け付ける。
【００１７】
請求項６の構成によれば、さらに下位階層によりアイコン画像の選択を受け付けるようにして、従来に比して前方視界を向上することができる。
【００１８】
請求項７に係る車両用表示装置は、
請求項６の構成において、
前記表示制御部は、
前記下位アイコン画像を表示した後、前記第２の方向への前記指のスライド操作の検出により、前記ドライバーによる前記中位アイコン画像の選択を前記指のスライド操作に応じて順次切り替えると共に、当該中位アイコン画像の選択に対応するように前記下位アイコン画像の表示を切替える。
【００１９】
請求項７の構成によれば、ドライバーが下位アイコン画像を選択し直す場合、さらに他の中位アイコン画像に係る下位アイコン画像を選択する場合等において、使い勝手を向上することができる。
【００２０】
請求項８に係る車両用表示装置は、
請求項４、請求項５、請求項６、請求項７の何れかの構成において、
前記表示制御部は、
前記上位アイコン画像の表示を開始した前記指の接触箇所に向かう前記指のスライド操作により、
前記中位アイコン画像の表示を終了する。
【００２１】
請求項８の構成によれば、不必要時、ドライバーの操作により中位アイコン画像の表示を終了して前方視界を向上することができる。
【００２２】
請求項９に係る車両用表示装置は、
請求項４、請求項５、請求項６、請求項７の何れかの構成において、
前記表示制御部は、
前記上位アイコン画像の表示を開始した前記指の接触箇所に向かう前記指のスライド操作により、
一定時間、前記上位アイコン画像の表示を継続した後、前記上位アイコン画像の表示を終了する。
【００２３】
請求項９の構成によれば、不必要時、ドライバーの操作により上位アイコン画像の表示を終了して前方視界を向上することができる。
【００２４】
請求項１０の発明は、車両用表示装置の制御方法において、
前記車両用表示装置は、
ドライバーの前方空間に虚像により画像を表示する表示部を備え、
前記車両用表示装置の制御方法は、
操作部を介して検出される前記ドライバーの指の接触により前記ドライバーによる操作情報を取得する操作情報取得ステップと、
前記操作情報により前記表示部を制御する表示制御ステップとを備え、
前記表示制御ステップは、
前記ドライバーの指の接触の検出により、上位アイコン画像の表示を開始して前記ドライバーによる選択操作を受け付ける。
【００２５】
請求項１０の構成によれば、ドライバーの指の接触の検出により上位アイコン画像の表示を開始することにより、必要な場合にのみ上位アイコン画像を表示することができ、従来に比して前方視界を向上することができる。
【００２６】
請求項１１の発明は、演算処理回路における実行により所定の処理手順を実行させる車両用表示装置の制御プログラムにおいて、
前記車両用表示装置は、
ドライバーの前方空間に虚像により画像を表示する表示部を備え、
前記処理手順は、
操作部を介して検出される前記ドライバーの指の接触により前記ドライバーによる操作情報を取得する操作情報取得ステップと、
前記操作情報により前記表示部を制御する表示制御ステップとを備え、
前記表示制御ステップは、
前記ドライバーの指の接触の検出により、上位アイコン画像の表示を開始して前記ドライバーによる選択操作を受け付ける。
【００２７】
請求項１１の構成によれば、ドライバーの指の接触の検出により上位アイコン画像の表示を開始することにより、必要な場合にのみ上位アイコン画像を表示することができ、従来に比して前方視界を向上することができる。
【発明の効果】
【００２８】
本発明の車両用表示装置、車両用表示装置の制御方法、車両用表示装置の制御プログラムによれば、前方を視認したドライバーの視界に、選択可能な複数のアイコン画像を表示して選択操作を受け付ける構成において、従来に比して前方視界を向上することができる。
【図面の簡単な説明】
【００２９】
【図１】本発明の実施形態に係る車両用表示装置を示すブロック図である。
【図２】図１の車両用表示装置における操作部を示す平面図である。
【図３】図１の車両用表示装置における表示制御部の動作の説明に供する図である。
【図４】図３の続きの説明に供する図である。
【図５】図４の続きの説明に供する図である。
【発明を実施するための形態】
【００３０】
〔第１実施形態〕
図１は、本発明の第１実施形態に係る車両１を示す図である。
この車両１は、ダッシュボード内に、ヘッドアップディスプレイ装置による車両用表示装置１０を備える。
車両１は、この車両用表示装置１０により、ウインドシールド２を介して前方を視認するドライバーの前方空間に、虚像により各種のアイコン画像を表示し、ドライバーによる操作を受け付けて各部の動作を切替える。ここで符号１０Ａは、車両用表示装置１０による画像表示領域である。
【００３１】
なお車両用表示装置１０は、ヘッドアップディスプレイ装置による構成に限らず、ヘッドマウントディスプレイ装置等、ドライバーの前方空間に虚像により画像を表示する各種の構成を広く適用することができる。
また車両用表示装置１０は、この実施形態では車両に据え付けられているものの、ドライバーが携帯する情報携帯端末により構成するようにしてもよい。
【００３２】
車両用表示装置１０は、表示部１２、操作部１３、操作情報取得部１４、表示制御部１５を備える。
車両用表示装置１０は、車両用表示装置の制御プログラムを演算処理回路で実行することにより、操作情報取得部１４、表示制御部１５が構成される。
これによりこの制御プログラムの実行による処理手順は、操作情報取得部１４、表示制御部１５にそれぞれ対応して、対応する処理を実行する操作情報取得ステップ、表示制御ステップを備える。
【００３３】
表示部１２は、表示に供する画像を虚像により形成する部位であり、画像表示パネル、この画像表示パネルの周辺回路、この画像表示パネルの出射光をウインドシールド２に向けて出射する光学系等により形成される。
ここで画像表示パネルは、ＤＭＤ（Ｄｉｇｉｔａｌ  Ｍｉｒｒｏｒ  Ｄｅｖｉｃｅ）、液晶表示パネル、有機ＥＬ（Ｅｌｅｃｔｒｏ  Ｌｕｍｉｎｅｓｃｅｎｃｅ）パネル等、種々の構成を広く適用することができる。
【００３４】
操作部１３は、ドライバーの指の接触を検出する構成であり、例えばタッチパネルセンサを備える。
図２は、この操作部１３の構成を示す平面図である。操作部１３は、平板形状により形成され、ステアリングを把持したドライバーにより操作可能な部位（例えばステアリングスポーク）、さらには運転操作するドライバーが手を伸ばして操作可能な部位に配置される。
操作部１３は、タッチパネルセンサフィルム１３Ａが設けられ、このタッチパネルセンサフィルム１３Ａにより、ドライバーの指Ａの接触、接触位置を検出可能にタッチパネルセンサが構成される。
【００３５】
操作部１３は、このタッチパネルセンサフィルム１３Ａにより指の接触を検出可能な領域に、ドライバーによる指の接触をガイドするガイド部１３Ｂが形成される。
ガイド部１３Ｂは、水平方向に延長する帯び形状により全体が形成される。また延長方向と直交する方向の断面形状が円弧形状により突出するように、全体が盛り上がるように形成され、これにより指先の感覚により指を添わせて水平方向への指のスライド操作をガイドできるように形成される。
なおこのように盛り上がるように形成する代わりに、凹ませるように形成してもよく、種々の構成を広く適用することができる。
【００３６】
またガイド部１３Ｂは、帯び形状による延長方向に分割されて、複数の領域１３Ｂ１〜１３Ｂ９が形成される。
ここでこの分割は、指先の感覚により各領域１３Ｂ１〜１３Ｂ９の境界を把握可能に、隣接する領域で高さを異ならせて凹凸により実行してもよく、隣接する領域の境界に線状に凹部又は凸部を設けるようにして実行してもよく、種々の構成を適用することができる。
また例えば印刷により境界に境界線を設けて、目視により把握できるようにしてもよい。
【００３７】
またこれらの領域１３Ｂ１〜１３Ｂ９のうち、左端から偶数番目の領域１３Ｂ２、１３Ｂ４、１３Ｂ６、１３Ｂ８には、中央に、後述するアイコン画像の表示との対応を示すマークＭが設けられる。
ここでこのマークＭは、円形形状により形成されているものの、これに代えて矩形形状、三角形形状等、種々の形状を適用することができる。またマークＭは、表面の凹凸により形成するようにしてもよく、さらには印刷により形成してもよい。
【００３８】
これらの領域１３Ｂ１〜１３Ｂ９のうち、左端の領域１３Ｂ１は、後述する最上位階層のメニューの選択に供する上位アイコン画像に係る操作部（以下、適宜、上位アイコン画像の操作部と呼ぶ）であり、続く偶数番目の領域１３Ｂ２、１３Ｂ４、１３Ｂ６、１３Ｂ８は、この上位アイコン画像の下位階層である中位アイコン画像に係る操作部（以下、適宜、中位アイコン画像の操作部と呼ぶ）である。
また上位アイコン画像の操作部１３Ｂ１に続く奇数番目の領域１３Ｂ３、１３Ｂ５、１３Ｂ７、１３Ｂ９は、それぞれ左側に隣接する中位アイコン画像の下位階層である下位アイコン画像に係る操作部（以下、適宜、下位アイコン画像の操作部と呼ぶ）である。
【００３９】
操作情報取得部１４（図１）は、操作部１３を介して検出されるドライバーの指Ａの接触によりドライバーによる操作情報を取得する。
ここで操作情報は、ドライバーの指Ａの接触の有無、接触箇所、この接触箇所の変化による指のスライド操作、指のタップ操作等の情報である。
これによりこの車両用表示装置１０では、上位アイコン画像の操作部１３Ｂ１への指の接触、この接触箇所からの上下方向、左右方向へのスライド操作、指Ａのタップ操作等を検出できるように構成される。
【００４０】
〔表示制御部〕
表示制御部１５は、この操作情報取得部１４で取得される操作情報により表示部１２の表示を制御してアイコン画像の選択を受け付ける。またこの車両１の各部とのデータ通信によりアイコン画像の表示に必要な各種の画像情報等を取得し、さらにドライバーによるアイコン画像の選択を通知する。
【００４１】
図３は、このアイコン画像に係る表示制御部１５の制御の説明に供する図である。
表示制御部１５は、図３（Ｂ１）により示すように、上位アイコン画像の操作部１３Ｂ１への指Ａの接触が検出されると、図３（Ａ１）により示すように、上位アイコン画像の表示開始を示すアイコン画像２０をアイコン画像の表示領域ＡＲに表示する。
ここでこのアイコン画像の表示領域ＡＲは、車両用表示装置１０による画像表示領域１０Ａの左側下端の領域（図１参照）であるものの、必要に応じて種々に設定することができる。
ここで上位アイコン画像の表示開始を示すアイコン画像２０は、「ＭＥＮＵ」の文字により形成され、横長の長円形状による輪郭線による領域に表示される。
これにより表示制御部１５は、上位アイコン画像の表示を開始してドライバーによる選択操作を受け付ける。
この場合、不必要な場合にはアイコン画像を表示しないようにして、必要な場合にのみアイコン画像を表示することができ、これにより従来に比して前方視界を向上することができる。
【００４２】
具体的に、表示制御部１５は、このようにアイコン画像２０を表示して、図３（Ｂ２）において矢印Ｂにより示すように、この上位アイコン画像の操作部１３Ｂ１に接触した指Ａの第１の方向である垂直方向へのスライド操作が検出されると、図３（Ａ２）により示すように、表示領域ＡＲの表示を切替える。
なおこのようなスライド操作による表示の切替えに加えて、又は代えて、アイコン画像２０を表示して一定の時間経過により表示を切替えるようにしてもよい。
【００４３】
ここでこの第１の方向へのスライド操作による表示においては、上位アイコン画像の表示開始を示すアイコン画像２０の場合と同様の横長の長円形状の輪郭線による領域を、左右に２分割して、左側分割領域とその上下方向とに、選択可能な上位アイコン画像２１Ａ〜２１Ｄを順次表示して形成される。
なお上位アイコン画像２１Ａは、携帯電話による通話の操作を選択するアイコン画像であり、上位アイコン画像２１Ｂは、空調の操作を選択するアイコン画像であり、アイコン画像２１Ｃは、オーディオに係る操作を選択するアイコン画像であり、アイコン画像２１Ｄは、車両１の走行モードに係る操作を選択するアイコン画像である。
【００４４】
表示制御部１５は、これらの上位アイコン画像２１Ａ〜２１Ｄのうちの１つ（この図３（Ａ２）の例では、アイコン画像２１Ｂである）は、この長円形状の輪郭線による領域に収まるようにして、第１の方向へのスライド操作に連動して、この輪郭線による領域に収まるアイコン画像を順次切替え、これによりこの輪郭線の領域によりフォーカスが設定されたアイコン画像を認識できるようにする。
なおこのフォーカスの可変にあっては、この輪郭線の領域に対して上位アイコン画像２１Ａ〜２１Ｄを上下方向に移動させて実行してもよく、これとは逆に、上位アイコン画像２１Ａ〜２１Ｄに対して輪郭線の領域を上下方向に移動させて実行してもよい。またこれらに代えて、又は加えて、アイコン画像のコントラストの可変により実行する場合等、種々の手法を広く適用することができる。
【００４５】
これに対して右側分割領域には、フォーカスが設定された上位アイコン画像２１Ａ〜２１Ｄに係る現状の設定内容２２を表示する。これにより例えばオーディオシステムにより音楽を再生している場合には、アイコン画像２１Ｃへのフォーカスの設定により再生中の曲名等を表示する。またアイコン画像２１Ｄへのフォーカスの設定により、現在設定されている走行モードを表示する。また何ら設定されていない場合には、その旨（図３（Ａ２）では「ＮＯＴ  ＳＥＴ」）を表示する。
【００４６】
表示制御部１５は、このようにして上位アイコン画像２１Ａ〜２１Ｄを表示して、図３（Ｂ３）において、矢印Ｃにより示すように、例えばドライバーが指Ａを下方に移動させたり、指Ａを水平方向にスライドさせたりして、上位アイコン画像の操作部１３Ｂ１への指Ａの接触が途絶えた場合、さらには指Ａのタップが検出された場合、その時点でフォーカスが設定されている上位アイコン画像の選択を受け付ける。また表示領域ＡＲの表示を切替え、図３（Ａ３）に示すように、長円形状の輪郭線による領域に収まるように、選択を受け付けた上位アイコン画像２１Ｂを、このアイコン画像２１Ｂに係る現状の設定内容２２と共に表示する。
【００４７】
これにより車両用表示装置１０では、垂直方向である第１の方向に選択可能な複数の上位アイコン画像を順次表示し、この第１の方向への指のスライド操作によりフォーカスの設定を切り替えて選択を受け付け、ドライバーにおいては、ブラインド操作による指のスライド操作により所望するアイコン画像を選択することができる。
【００４８】
またフォーカスが設定された上位アイコン画像に係る設定内容２２を、当該上位アイコン画像に隣接して表示することにより、設定を確認して上位アイコン画像を選択し、また選択した上位アイコン画像に係る設定を確認することができ、使い勝手を向上することができる。
【００４９】
図４は、このようにして選択された上位アイコン画像の下位階層である中位アイコン画像の選択の説明に供する図である。
表示制御部１５は、選択を受け付けたアイコン画像２１Ｂを設定内容２２と共に表示した状態で（図３（Ａ３）の状態である）、図４（Ｂ１）において矢印Ｄにより示すように、上位アイコン画像の操作部１３Ｂ１から第１の方向に直交する方向である第２の方向（この場合、水平方向である）である右方向に、ドライバーの指Ａがスライド操作されると、図４（Ａ１）に示すように、選択された上位アイコン画像の下位階層である選択可能な中位アイコン画像を、この第２の方向に表示してドライバーによる選択操作を受け付ける。
【００５０】
これにより車両用表示装置１０では、階層構造により上位アイコン画像及び中位アイコン画像を表示してドライバーによる選択を受け付けるようにして、従来に比して前方視界を向上することができる。
【００５１】
具体的に、この中位アイコン画像の表示においては、上位アイコン画像の表示時における長円形状の輪郭線による領域に比して横長に、長円形状の輪郭線による領域を形成するようにして、指Ａのスライド操作開始位置からスライド操作位置までの距離に応じて、この領域の長さを可変する。なお図４（Ｂ１）における矢印Ｄに対応して図４（Ａ１）において矢印Ｅによりこの長さの可変を示す。
また指Ａのスライド操作開始位置からスライド操作位置までの、操作部１３における操作部１３Ｂ１〜１３Ｂ９の設定に対応するように、この長円形状の輪郭線による領域を区分する。さらに区分して形成された小領域のうち、上位アイコン画像の操作部１３Ｂ１に対応する小領域に、選択された上位アイコン画像２１Ｂを表示し、また中位アイコン画像の操作部１３Ｂ２、１３Ｂ４、１３Ｂ６、１３Ｂ８に対応する小領域にそれぞれ中位アイコン画像を表示する。
これにより第２の方向への指のスライド操作開始位置からスライド操作位置までの距離に応じて表示する中位アイコン画像の数を変化するようにして、選択可能な中位アイコン画像を表示する。
これにより不必要な中位アイコン画像を表示しないようにして、前方視界を向上することができる。
【００５２】
具体的に、この図４（Ａ１）の例では、上位アイコン画像の操作部１３Ｂ１に対応する小領域に空調に係る上位アイコン画像２１Ｂを表示する。またこの場合、中位アイコン画像の操作部１３Ｂ６まで指がスライド操作されていることにより（図４（Ｂ１））、中位アイコン画像の操作部１３Ｂ２、１３Ｂ４、１３Ｂ６に対応する小領域に、温度設定に係る中位アイコン画像２４Ａ、風量設定に係る中位アイコン画像２４Ｂ、噴き出し口の設定に係る中位アイコン画像２４Ｃを表示する。
【００５３】
またこれらの表示においては、中位アイコン画像の操作部１３Ｂ２、１３Ｂ４、１３Ｂ６、１３Ｂ８に対応するように、対応する小領域が表示される箇所の上に、中位アイコン画像の操作部１３Ｂ２、１３Ｂ４、１３Ｂ６、１３Ｂ８に設定されたマークＭに対応するマークＭＮが表示される。これにより車両用表示装置１０では、操作部１３Ｂ２、１３Ｂ４、１３Ｂ６、１３Ｂ８と中位アイコン画像の表示との対応関係を直感的に把握できるようにし、さらに右側に指をスライド操作して選択可能な中位アイコン画像を表示できることを直感的に把握することができる。
【００５４】
このようにして中位アイコン画像を表示するようにして、図４（Ｂ２）に示すように、ドライバーが指Ａを何れかの下位アイコン画像の操作部１３Ｂ７にスライド操作すると、図４（Ａ２）に示すように、対応する下位アイコン画像２５Ａ〜２５Ｅを表示する。
ここでこの対応する下位アイコン画像２５Ａ〜２５Ｅは、指Ａが接触している下位アイコン画像の操作部１３Ｂ７の、上位アイコン画像の操作部１３Ｂ１側である中位アイコン画像の操作部１３Ｂ６に対応する下位アイコン画像２５Ａ〜２５Ｅである。
表示制御部１５は、これらの下位アイコン画像２５Ａ〜２５Ｅを、指Ａが接触している下位アイコン画像の操作部１３Ｂ７に対応する小領域とその上下方向に表示する。
具体的に、上位アイコン画像の場合と同様に、長円形状の輪郭線による領域に１つの下位アイコン画像が収まるようにして、第２の方向と直交する方向である上下方向（第１の方向）に順次下位アイコン画像２５Ａ〜２５Ｅを配置する。
【００５５】
このようにして図４（Ｂ２）において矢印Ｆにより示すように、指Ａが上下にスライド操作されると、長円形状の輪郭線による領域に収まる下位アイコン画像を順次切り替えるようにしてフォーカスを切り替える。
また指のタップが検出されると、フォーカスが設定されている下位アイコン画像の選択を受け付け、このアイコン画像の選択を車両１の対応する構成に通知する。
これによりさらに下位階層によりアイコン画像の選択を受け付けるようにして、従来に比して前方視界を向上することができる。
【００５６】
さらに表示制御部１５は、このようにして選択可能な下位アイコン画像を表示した後、さらには下位アイコン画像の選択を受け付けた後、図５（Ｂ１Ａ）において矢印Ｇにより示すように、指Ａが下位アイコン画像の操作部１３Ｂ５側にスライド操作されると、上位アイコン画像の操作部１３Ｂ１から指Ａがスライド操作された場合と同様に、表示を切替える。
すなわちこの場合、図５（Ａ１）に示すように、指Ａのスライド操作に応じて中位アイコン画像の表示を順次切り替えると共に、中位アイコン画像の選択に対応するように下位アイコン画像の表示を切替える。
またさらに指Ａが下位アイコン画像の操作部１３Ｂ５側とは逆側にスライド操作されると、同様に、表示を切替える。
【００５７】
具体的に、この図５（Ｂ１Ａ）の例では、下位アイコン画像の操作部１３Ｂ５に指Ａがスライド操作され、この操作部１３Ｂ５の左側が風量設定に係る中位アイコン画像に係る中位アイコン画像の操作部１３Ｂ４であることにより、スライド操作した分、長円形状の輪郭線による領域の長さを短くし、さらにこの領域における小領域の設定を変更し、風量設定に係る中位アイコン画像２４Ｂを表示した小領域の右隣の小領域に、風量設定に係る下位アイコン画像２７Ａ〜２７Ｆを表示する。
【００５８】
またドライバーが指Ａを上位アイコン画像の操作部１３Ｂ１までスライド操作した後、図５（Ｂ１Ｂ）において矢印Ｈにより示すように、改めて下位アイコン画像の操作部１３Ｂ５にスライド操作すると、同様にして、指Ａのスライド操作に応じて中位アイコン画像の表示を順次切り替えると共に、中位アイコン画像の選択に対応するように下位アイコン画像の表示を切替える。
【００５９】
これらにより車両用表示装置１０では、ドライバーが下位アイコン画像を選択し直す場合、さらに他の中位アイコン画像に係る下位アイコン画像を選択する場合等において、使い勝手を向上することができる。
【００６０】
またこのようにして下位アイコン画像の選択を受け付けて、図５（Ｂ２）において矢印Ｉにより示すように、上位アイコン画像の表示を開始した指の接触箇所（上位アイコン画像の操作部１３Ｂ１である）に向かう指Ａのスライド操作により、この上位アイコン画像の表示を開始した指の接触箇所を超えてドライバーが指Ａをスライド操作すると、表示制御部１５は、アイコン画像の表示を終了する。なお実用上充分な場合には、上位アイコン画像の表示を開始した指の接触箇所を指Ａの接触箇所が超える前に、アイコン画像の表示を終了してもよい。
このとき指Ａのスライド操作に応じて中位アイコン画像の表示を順次切り替えることにより、表示制御部１５は、最終的に、図５（Ａ２）に示すように、選択された上位アイコン画像に表示を切替えた後、表示を終了する。
なおこの場合、一定時間（例えば１０秒）、この図５（Ａ２）に示す上位アイコン画像を表示した後、表示を終了する。
これにより不必要時、ドライバーの操作によりアイコン画像の表示を終了して前方視界を向上することができる。
なおこのようなドライバーの操作により表示を終了する構成に代えて、又は加えて、一定時間の放置により表示を終了するようにしてもよい。またこのように放置により表示を終了する場合には、続いてドライバーによる指Ａの接触が開始された場合、終了時点の表示により表示を再開するようにしてもよい。
【００６１】
以上の構成によれば、ドライバーの指の接触の検出により、上位アイコン画像の表示を開始してドライバーによる選択操作を受け付けることにより、必要な場合にのみアイコン画像を表示して、不必要な場合には表示しないようにすることができ、これにより従来に比して前方視界を向上することができる。
【００６２】
また垂直方向である第１の方向に選択可能な複数の上位アイコン画像を順次表示し、指のスライド操作によりフォーカスの設定を順次切り替えて選択を受け付けることにより、指のスライド操作により所望するアイコン画像を選択することができる。
【００６３】
またフォーカスが設定された上位アイコン画像に係る設定をこの上位アイコン画像に隣接して表示することにより、設定を確認してアイコン画像を選択し、また選択したアイコン画像に係る設定を確認することができ、使い勝手を向上することができる。
【００６４】
またさらに第１の方向と直交する第２の方向への指のスライド操作により、選択された上位アイコン画像に係る選択可能な中位アイコン画像を表示して選択操作を受け付けることにより、階層構造により上位アイコン画像及び中位アイコン画像を表示して、従来に比して前方視界を向上することができる。
【００６５】
またスライド操作位置までの距離に応じて表示する中位アイコン画像の数を変化させることにより、全ての中位アイコン画像を表示しなくても、所望する中位アイコン画像を選択できることにより、従来に比して前方視界を向上することができる。
【００６６】
またさらに第２の方向と直交する第１の方向へのスライド操作により、中位アイコン画像に係る選択可能な複数の下位アイコン画像を順次表示して選択操作を受け付けることにより、さらに下位階層によりアイコン画像の選択を受け付けるようにして、従来に比して前方視界を向上することができる。
【００６７】
またさらに下位アイコン画像を表示した後、指のスライド操作の検出により、中位アイコン画像の選択を順次切り替えると共に、当該中位アイコン画像の選択に対応するように下位アイコン画像の表示を切替えることにより、ドライバーが下位アイコン画像を選択し直す場合、さらに他の中位アイコン画像に係る下位アイコン画像を選択する場合等において、使い勝手を向上することができる。
【００６８】
またさらに上位アイコン画像の表示を開始した指の接触箇所に向かう指Ａのスライド操作により、中位アイコン画像の表示を終了することにより、さらにはこのとき、一定時間、上位アイコン画像の表示を継続した後、上位アイコン画像の表示を終了することにより、不必要時、ドライバーの操作によりアイコン画像の表示を終了して前方視界を向上することができる。
【００６９】
〔他の実施形態〕
以上、本発明の実施に好適な具体的な構成を詳述したが、本発明は、本発明の趣旨を逸脱しない範囲で、上述の実施形態の構成を種々に変更することができる。
【００７０】
すなわち上述の実施形態では、第１、第２の方向を、それぞれ垂直方向、水平方向とする場合について述べたが、本発明はこれに限らず、第１、第２の方向を、それぞれ水平方向、垂直方向としてもよい。
【００７１】
また上述の実施形態では、上位アイコン画像の操作部１３Ｂ１の右側に、他の操作部を設ける場合について述べたが、本発明はこれに限らず、上位アイコン画像の操作部１３Ｂ１の左側に、他の操作部を設けるようにしてもよい。
また第１、第２の方向を、それぞれ水平方向、垂直方向とする場合には、上位アイコン画像の操作部１３Ｂ１の上側、又は下側に、他の操作部を設けるようにしてもよい。
【００７２】
また上述の実施形態では、ガイド部１３Ｂを設けて指のスライド操作を検出する場合について述べたが、本発明はこれに限らず、必要に応じてガイド部を省略するようにしてもよい。またこの場合、ドライバーが指の接触を開始した位置を起点として、適宜、アイコン画像の操作部１３Ｂ１〜１３Ｂ９に係る領域を設定して、ドライバーによる指のスライド操作を検出して、上述の実施形態と同様に、アイコン画像の選択を受け付けることができる。
【符号の説明】
【００７３】
１  車両
２  ウインドシールド
１０  車両用表示装置
１０Ａ  画像表示領域
１２  表示部
１３、１３Ｂ１〜１３Ｂ９  操作部
１３Ａ  タッチパネルセンサフィルム
１３Ｂ  ガイド部
１４  操作情報取得部
１５  表示制御部
２０、２１Ａ〜２１Ｄ、２４Ａ〜２４Ｃ、２６Ａ〜２６Ｅ、２７Ａ〜２７Ｆ  アイコン画像
Ｍ、ＭＮ  マーク
【図１】
2020050055.tif 000003
【図２】
2020050055.tif 000004
【図３】
2020050055.tif 000005
【図４】
2020050055.tif 000006
【図５】
2020050055.tif 000007